(57)【要約】【課題】表示対象画像を大きく表示して表示対象画像を容易に認識させ、関心を喚起することが可能な梱包箱配置方法および梱包箱配置方法に適用できる梱包箱を形成する梱包箱形成方法を提供する。【解決手段】輸送用パレット３０には、複数の梱包箱（例えば梱包箱１１ないし梱包箱１４の４個）が水平方向に載置され並置してある。梱包箱１１の一表面としての例えば側面には部分画像Ｄｐ１が形成してあり、同様に、梱包箱１２には部分画像Ｄｐ２が、梱包箱１３には部分画像Ｄｐ３が、梱包箱１４には部分画像Ｄｐ４がそれぞれ形成してある。例えば４つの部分画像Ｄｐ（部分画像Ｄｐ１、部分画像Ｄｐ２、部分画像Ｄｐ３、および部分画像Ｄｐ４）によって１つの表示対象画像Ｄｄｉｓが構成され、表示される。【選択図】図１
2008087842.tif 000002
【特許請求の範囲】
【請求項１】
一表面に部分画像が表示され物品を梱包する梱包箱を配置する梱包箱配置方法であって、
前記梱包箱を複数並置して前記部分画像を組み合わせることにより表示対象画像を表示することを特徴とする梱包箱配置方法。
【請求項２】
前記梱包箱を複数収納する集合梱包箱に前記表示対象画像を表示するように前記梱包箱を配置することを特徴とする請求項１に記載の梱包箱配置方法。
【請求項３】
前記表示対象画像を表示するように前記梱包箱の側面または天面を配置することを特徴とする請求項１または請求項２に記載の梱包箱配置方法。
【請求項４】
前記表示対象画像を表示するように前記梱包箱を水平方向または／および垂直方向に配置することを特徴とする請求項１ないし請求項３のいずれか一つに記載の梱包箱配置方法。
【請求項５】
前記梱包箱を輸送する輸送用パレットに前記梱包箱を載置することを特徴とする請求項１ないし請求項４のいずれか一つに記載の梱包箱配置方法。
【請求項６】
物品を梱包する梱包箱が有する複数表面の内少なくとも２面のそれぞれに部分画像を形成する梱包箱形成方法であって、
前記部分画像の組み合わせが表示対象画像を表示するように前記部分画像を形成することを特徴とする梱包箱形成方法。
【請求項７】
前記梱包箱は６面体であることを特徴とする請求項６に記載の梱包箱形成方法。
【請求項８】
前記６面体の少なくとも３面にわたって前記表示対象画像を形成することを特徴とする請求項７に記載の梱包箱形成方法。
【請求項９】
前記６面体は立方体であり、少なくとも５面にわたって前記表示対象画像を形成することを特徴とする請求項７に記載の梱包箱形成方法。
【請求項１０】
前記複数表面の数より多い数の前記部分画像で前記表示対象画像を表示するように前記部分画像を形成することを特徴とする請求項６ないし請求項９のいずれか一つに記載の梱包箱形成方法。
【発明の詳細な説明】
【技術分野】
【０００１】
本発明は、表面に部分画像が表示された梱包箱を並置して表示対象画像を表示する梱包箱配置方法およびそのような梱包箱を形成する梱包箱形成方法に関する。
【背景技術】
【０００２】
物品（製品）を保護、輸送、陳列する際に物品を収納する梱包箱が利用されている。一般的には、梱包箱は物品ごとに構成され、１箱ごとに物品の内容を示す表示がなされ、内容の紹介、説明などがしてある。このとき、説明を補助する画像が表示されることがあるが、正確に認識できるように、画像は１箱ごと（１面ごと）に表示対象画像を表示する形態としてある。
【０００３】
また、最近では、陳列の効率化、簡素化、製品管理の向上などを目的として、梱包箱のまま陳列販売を行なう場合が増えてきている。しかし、従来の梱包箱では、上述したとおり、１箱単位で表示対象画像が形成され、表示されることから、表示対象画像の大きさは小さいものであった。したがって、間近でしか表示対象画像を認識することができず、陳列状態での表示対象画像の表示効果はほとんど発揮できない状態であった。
【０００４】
なお、表面に印刷された画像を絵合わせパズルとして適用し、空箱の使用価値を高めた技術がある（例えば、特許文献１参照。）。
【特許文献１】実開昭５８−５５０８０号公報
【発明の開示】
【発明が解決しようとする課題】
【０００５】
本発明はこのような状況に鑑みてなされたものであり、梱包箱を複数並置して梱包箱の一表面に形成された部分画像を組み合わせることにより、表示対象画像を大きく表示して表示対象画像を容易に認識させ、関心を喚起することが可能な梱包箱配置方法を提供することを目的とする。
【０００６】
また、本発明は、梱包箱の複数表面に形成された部分画像の組み合わせが表示対象画像を表示するように部分画像を形成することにより、並置して大きい表示対象画像を表示することができる梱包箱を容易に形成することができる梱包箱形成方法を提供することを他の目的とする。
【課題を解決するための手段】
【０００７】
本発明に係る梱包箱配置方法は、一表面に部分画像が表示され物品を梱包する梱包箱を配置する梱包箱配置方法であって、前記梱包箱を複数並置して前記部分画像を組み合わせることにより表示対象画像を表示することを特徴とする。
【０００８】
この構成により、表示すべき表示対象画像を大きく表示することが可能となるので、視覚効果を向上させて表示対象画像を容易に認識させ、関心を喚起することができる。特に梱包箱を用いて製品を陳列する場合などには大きな視覚効果、宣伝効果が得られる。
【０００９】
また、本発明に係る梱包箱配置方法では、前記梱包箱を複数収納する集合梱包箱に前記表示対象画像を表示するように前記梱包箱を配置することを特徴とする。
【００１０】
この構成により、集合梱包箱に収納された状態で表示対象画像を表示することが可能となり、開封時に注意を喚起することが可能となり、開封作業を確実に行なうことができ、また集合梱包箱ごとに表示対象画像を明確に表示することができる。
【００１１】
また、本発明に係る梱包箱配置方法では、前記表示対象画像を表示するように前記梱包箱の側面または天面を配置することを特徴とする。
【００１２】
この構成により、表示対象画像の表示を容易に行なうことが可能となる。
【００１３】
また、本発明に係る梱包箱配置方法では、前記表示対象画像を表示するように前記梱包箱を水平方向または／および垂直方向に配置することを特徴とする。
【００１４】
この構成により、水平、垂直のいずれかの方向で、あるいは水平および垂直の両方向で表示することが可能となる。
【００１５】
また、本発明に係る梱包箱配置方法では、前記梱包箱を輸送する輸送用パレットに前記梱包箱を載置することを特徴とする。
【００１６】
この構成により、輸送時の視認が容易かつ正確となり、輸送効率を向上させることが可能となる。
【００１７】
また、本発明に係る梱包箱形成方法は、物品を梱包する梱包箱が有する複数表面の内少なくとも２面のそれぞれに部分画像を形成する梱包箱形成方法であって、前記部分画像の組み合わせが表示対象画像を表示するように前記部分画像を形成することを特徴とする。
【００１８】
この構成により、並置して表示対象画像を表示することができる梱包箱を簡単な図版を適用して容易に形成することが可能となる。
【００１９】
また、本発明に係る梱包箱形成方法では、前記梱包箱は６面体であることを特徴とする。
【００２０】
この構成により、並置したとき並置密度を大きくでき、容易かつ簡明に表示対象画像を表示することができる梱包箱を容易に形成することが可能となる。
【００２１】
また、本発明に係る梱包箱形成方法では、前記６面体の少なくとも３面にわたって前記表示対象画像を形成することを特徴とする。
【００２２】
この構成により、少なくとも３個並置することで大きい表示対象画像を容易に表示可能な梱包箱を容易に形成することができる。
【００２３】
また、本発明に係る梱包箱形成方法では、前記６面体は立方体であり、少なくとも５面にわたって前記表示対象画像を形成することを特徴とする。
【００２４】
この構成により、少なくとも５個並置することで大きい表示対象画像を容易に表示可能な梱包箱を容易に形成することができる。
【００２５】
また、本発明に係る梱包箱形成方法では、前記複数表面の数より多い数の前記部分画像で前記表示対象画像を表示するように前記部分画像を形成することを特徴とする。
【００２６】
この構成により、梱包箱が有する表面の数より多い数の梱包箱を用いて表示対象画像を表示することが可能な梱包箱を容易に形成することができる。
【発明の効果】
【００２７】
本発明に係る梱包箱配置方法によれば、梱包箱を複数並置して表面に形成された部分画像を組み合わせることにより部分画像より大きい表示対象画像を表示することから、視認性が向上するという効果を奏する。
【００２８】
したがって、並置して陳列する場合の消費者に対する宣伝効果を向上させることが可能となり、また、製品の把握を容易に行なうことが可能となる。また、工場で製造された製品を輸送用パレットに載せて中継地や量販店に出荷する際に、輸送用パレットに載せた複数の梱包箱の集合で大きな表示対象画像を表示することにより容易かつ正確な認識が可能となり、輸送作業を効率的かつ正確に行なうことができる。
【００２９】
また、本発明に係る梱包箱形成方法によれば、部分画像の組み合わせが表示対象画像を表示するように部分画像を梱包箱の表面に形成することから、
並置して表示対象画像を表示することができる梱包箱を簡単な図版を適用して容易に形成することが可能となるという効果を奏する。
【発明を実施するための最良の形態】
【００３０】
以下、本発明の実施の形態を図面に基づいて説明する。
【００３１】
＜実施の形態１＞
工場で生産された製品は、製品（不図示）を保護、輸送、陳列などするための梱包箱に梱包され、次のユーザに向けて輸送されるのが一般的である。本実施の形態では、輸送手段として例えば輸送用パレットを用い、輸送用パレットに梱包箱を配置した場合の梱包箱配置方法を説明する。
【００３２】
図１は、本発明の実施の形態１に係る梱包箱配置方法を説明する説明図であり、梱包箱を４個並置して１つの表示対象画像を表示する状態を示す側面図である。
【００３３】
輸送用パレット３０には、複数の梱包箱（例えば梱包箱１１ないし梱包箱１４の４個）が水平方向に載置され配置（並置）してある。梱包箱１１の一表面としての例えば側面には部分画像Ｄｐ１が形成してあり、また、同様に梱包箱１２には部分画像Ｄｐ２が、梱包箱１３には部分画像Ｄｐ３が、梱包箱１４には部分画像Ｄｐ４がそれぞれ形成してある（部分画像Ｄｐ１、部分画像Ｄｐ２、部分画像Ｄｐ３、部分画像Ｄｐ４を区別する必要がない場合は、部分画像Ｄｐと記載することがある。以下の部分画像Ｄｐにおいても同様とする。）。
【００３４】
４つの部分画像Ｄｐ（部分画像Ｄｐ１、部分画像Ｄｐ２、部分画像Ｄｐ３、および部分画像Ｄｐ４）によって１つの表示対象画像Ｄｄｉｓが構成され、表示される。本実施の形態では、表示対象画像Ｄｄｉｓとして例えばパーソナルコンピュータの絵図を示している。なお、部分画像Ｄｐとして梱包箱の側面に形成した場合を例示したが、天面に形成することも可能である。梱包箱の側面（または天面）に形成された部分画像Ｄｐを複数並置して表示対象画像Ｄｄｉｓを表示することから、大きい表示形状を有する表示対象画像Ｄｄｉｓの表示を容易に実現することが可能となる。
【００３５】
つまり、本実施の形態に係る梱包箱配置方法は、複数の梱包箱（梱包箱１１ないし梱包箱１４）を並置するとき、梱包箱１１ないし梱包箱１４それぞれの一表面に形成された部分画像Ｄｐ１、部分画像Ｄｐ２、部分画像Ｄｐ３、および部分画像Ｄｐ４を組み合わせて表示対象画像Ｄｄｉｓを表示する形態としてある。
【００３６】
この構成により、表示すべき表示対象画像Ｄｄｉｓを部分画像Ｄｐに比較して大きく表示することが可能となるので、視覚効果を向上させて表示対象画像Ｄｄｉｓを容易に認識させ、関心を喚起することができる。また、輸送用パレット３０に梱包箱を載置することにより、輸送時の視認が容易かつ正確となり、輸送効率を向上させることが可能となる。
【００３７】
本実施の形態では、梱包箱を４個並置した場合を示したが、これに限らず複数（２個以上）の梱包箱を並置して表示対象画像Ｄｄｉｓを表示する形態とすることが可能である。梱包箱が例えば６面体であれば、各面に異なる部分画像Ｄｐを形成して梱包箱を６個並置することにより表示対象画像Ｄｄｉｓを表示することが可能となる。また、梱包箱が６面体であっても、梱包箱を６個より多い個数並置することにより表示対象画像Ｄｄｉｓを構成することも可能である（実施の形態９参照。）。
【００３８】
なお、本実施の形態での梱包箱は、食品、機械製品、電気製品など種々の製品を梱包するあらゆる梱包箱を含み、製品の保護、輸送、陳列などで利用するあらゆる梱包箱を含む。また、説明の簡易さを考慮して主に６面体として説明するがこれに限るものではない。
【００３９】
また、輸送用パレット３０を用いて輸送する場合を例示したが、売店で梱包箱を用いて製品を陳列する場合などには大きな視覚効果、宣伝効果が得られる。
【００４０】
＜実施の形態２＞
梱包箱はさらに大きい集合梱包箱に複数収納されて、保護、輸送、陳列などされる場合がある。本実施の形態では、集合梱包箱に複数の梱包箱を収納、配置した場合の梱包箱配置方法を説明する。
【００４１】
図２は、本発明の実施の形態２に係る梱包箱配置方法を説明する説明図であり、集合梱包箱に梱包箱を６個並置して１つの表示対象画像を表示する状態を示す平面図である。
【００４２】
なお、本実施の形態に係る梱包箱配置方法の基本構成は、実施の形態１の梱包箱配置方法と同様であり、主に実施の形態１と異なる構成について説明する。
【００４３】
本実施の形態では、梱包箱を複数収納する集合梱包箱２０に、例えば梱包箱１１ないし梱包箱１６（６個の梱包箱）を収納（配置）し、６つの部分画像Ｄｐ（部分画像Ｄｐ５ないし部分画像Ｄｐ１０）の組み合わせによって１つの表示対象画像Ｄｄｉｓを表示する形態としてある。本実施の形態では、表示対象画像Ｄｄｉｓとして例えばツリー形状の絵図を示している。なお、同図では、蓋部２０ｃを開放した状態として示す。
【００４４】
つまり、梱包箱１１の一表面（側面または天面）には部分画像Ｄｐ５が形成してあり、同様に梱包箱１２には部分画像Ｄｐ６が、梱包箱１３には部分画像Ｄｐ７が、梱包箱１４には部分画像Ｄｐ８が、梱包箱１５には部分画像Ｄｐ９が、梱包箱１６には部分画像Ｄｐ１０がそれぞれ形成してある。
【００４５】
本実施の形態では、梱包箱を６個（梱包箱１１ないし梱包箱１６）並置した場合を示したが、実施の形態１と同様、並置する梱包箱の個数は特にこれに限るものではない。
【００４６】
この構成により、集合梱包箱２０に収納された状態で表示対象画像Ｄｄｉｓを部分画像Ｄｐに比較して大きく表示することが可能となるので、視覚効果を向上させて表示対象画像Ｄｄｉｓを容易に認識させ、関心を喚起することができる。したがって、例えば開封作業を確実に行なうことができ、また、集合梱包箱２０それぞれで個別に表示対象画像Ｄｄｉｓを明確に表示することができる。
【００４７】
集合梱包箱２０の蓋部２０ｃを開放した状態で、表示対象画像Ｄｄｉｓを視認可能な方向へ向けることにより、例えば、製品の纏め買いを促すなどの効果が生じる。
【００４８】
＜実施の形態３＞
本実施の形態は、実施の形態１の変形例であり、輸送用パレット３０に載置する梱包箱の個数が異なる場合を示す。
【００４９】
図３は、本発明の実施の形態３に係る梱包箱配置方法を説明する説明図であり、梱包箱を２個並置して水平方向で１つの表示対象画像を表示する状態を示す側面図である。
【００５０】
なお、本実施の形態に係る梱包箱配置方法の基本構成は、実施の形態１、実施の形態２の梱包箱配置方法と同様であり、主に実施の形態１、実施の形態２と異なる構成について説明する。
【００５１】
本実施の形態では、２個の梱包箱（梱包箱１１、１２）のみを水平方向で輸送用パレット３０に並置してある。実施の形態１とは、輸送用パレット３０に載置する梱包箱の数が異なる。また、梱包箱１１の例えば側面には部分画像Ｄｐ１１が形成してあり、また、同様に梱包箱１２には部分画像Ｄｐ１２がそれぞれ形成してある。つまり、２つの部分画像Ｄｐの組み合わせ（部分画像Ｄｐ１１および部分画像Ｄｐ１２）によって１つの表示対象画像Ｄｄｉｓを表示する構成としてある。
【００５２】
＜実施の形態４＞
本実施の形態は、実施の形態３の変形例であり、輸送用パレット３０に載置する梱包箱の個数を変更して２つの表示対象画像Ｄｄｉｓを表示する形態とした場合を示す。
【００５３】
図４は、本発明の実施の形態４に係る梱包箱配置方法を説明する説明図であり、梱包箱を４個並置して水平方向で２つの表示対象画像を表示する状態を示す側面図である。
【００５４】
なお、本実施の形態に係る梱包箱配置方法の基本構成は、実施の形態１ないし実施の形態３の梱包箱配置方法と同様であり、主に実施の形態１ないし実施の形態３と異なる構成について説明する。
【００５５】
本実施の形態では、４個の梱包箱（梱包箱１１、１２、１３、１４）を水平方向で輸送用パレット３０に並置してある。
【００５６】
梱包箱１１によって部分画像Ｄｐ１１を、梱包箱１２によって部分画像Ｄｐ１２を表示して２個の梱包箱（梱包箱１１、１２）で１つの表示対象画像Ｄｄｉｓを表示し、また、梱包箱１３によって部分画像Ｄｐ１１を、梱包箱１４によって部分画像Ｄｐ１２を表示して２個の梱包箱（梱包箱１３、１４）でさらにもう１つの表示対象画像Ｄｄｉｓを表示する構成としてある。つまり、２つの部分画像Ｄｐ（部分画像Ｄｐ１１および部分画像Ｄｐ１２）の組み合わせによって、水平方向で表示対象画像Ｄｄｉｓを２つ表示する構成としてある。
【００５７】
この構成により、水平方向で複数の表示対象画像Ｄｄｉｓを表示することが可能となる。
【００５８】
＜実施の形態５＞
本実施の形態は、実施の形態４の変形例であり、輸送用パレット３０に載置する梱包箱の配列方向を変更し、垂直方向で２つの表示対象画像Ｄｄｉｓを表示する形態とした場合を示す。
【００５９】
図５は、本発明の実施の形態５に係る梱包箱配置方法を説明する説明図であり、梱包箱を縦横４個並置して垂直方向で２つの表示対象画像を表示する状態を示す側面図である。
【００６０】
なお、本実施の形態に係る梱包箱配置方法の基本構成は、実施の形態１ないし実施の形態４の梱包箱配置方法と同様であり、主に実施の形態１ないし実施の形態４と異なる構成について説明する。
【００６１】
本実施の形態では、実施の形態４の場合と表示対象画像Ｄｄｉｓの配置方向を異ならせてある。つまり、実施の形態４では、表示対象画像Ｄｄｉｓを水平方向で２つ表示したが、本実施の形態では、表示対象画像Ｄｄｉｓを垂直方向で２つ表示する形態としてある。
【００６２】
２個の梱包箱（梱包箱１１、１２）を水平方向で輸送用パレット３０に並置し、水平方向に並置された２個の梱包箱（梱包箱１３、１４）を輸送用パレット３０に並置された２個の梱包箱（梱包箱１１、１２）に対して垂直方向で並置してある。つまり、４個の梱包箱（梱包箱１１ないし梱包箱１４）を縦横に並置して垂直方向で２つの表示対象画像Ｄｄｉｓを表示する。
【００６３】
したがって、梱包箱１１、１２によって１つの表示対象画像Ｄｄｉｓを表示し、また、梱包箱１１、１２に対して垂直方向で並置された梱包箱１３、１４によってさらにもう１つの表示対象画像Ｄｄｉｓを表示する構成としてある。つまり、２つの部分画像Ｄｐ（部分画像Ｄｐ１１および部分画像Ｄｐ１２）の組み合わせによって、垂直方向で表示対象画像Ｄｄｉｓを２つ表示する構成としてある。
【００６４】
この構成により、垂直方向で複数の表示対象画像Ｄｄｉｓを表示することが可能となる。
【００６５】
＜実施の形態６＞
本実施の形態は、実施の形態４、実施の形態５の変形例であり、輸送用パレット３０に載置する梱包箱の配列方向を水平方向および垂直方向として、水平方向および垂直方向それぞれで２つの表示対象画像Ｄｄｉｓを表示する形態とした場合を示す。つまり、全体として４個の表示対象画像Ｄｄｉｓを表示する形態としてある。
【００６６】
図６は、本発明の実施の形態６に係る梱包箱配置方法を説明する説明図であり、梱包箱を縦横８個並置して水平方向で２つの表示対象画像を表示し、垂直方向で２つの表示対象画像を表示する状態を示す側面図である。
【００６７】
なお、本実施の形態に係る梱包箱配置方法の基本構成は、実施の形態１ないし実施の形態５の梱包箱配置方法と同様であり、主に実施の形態１ないし実施の形態５と異なる構成について説明する。
【００６８】
本実施の形態は、実施の形態４（水平方向で複数の表示対象画像Ｄｄｉｓを表示）と実施の形態５（垂直方向で複数の表示対象画像Ｄｄｉｓを表示）とを組み合わせた形態としてある。
【００６９】
輸送用パレット３０に対応する水平方向では、梱包箱１１で部分画像Ｄｐ１１を、梱包箱１２で部分画像Ｄｐ１２を表示して２つの梱包箱（梱包箱１１、１２）で表示対象画像Ｄｄｉｓを表示し、また、同様に、梱包箱１３で部分画像Ｄｐ１１を、梱包箱１４で部分画像Ｄｐ１２を表示して２つの梱包箱（梱包箱１３、１４）で表示対象画像Ｄｄｉｓを表示している。つまり、２つの部分画像Ｄｐ（部分画像Ｄｐ１１および部分画像Ｄｐ１２）の組み合わせによって、水平方向で例えば２つの表示対象画像Ｄｄｉｓを表示する状態としてある。
【００７０】
また、輸送用パレット３０に対応する垂直方向では、梱包箱１１に対応する梱包箱１５で部分画像Ｄｐ１１を、梱包箱１２に対応する梱包箱１６で部分画像Ｄｐ１２を表示して２つの梱包箱（梱包箱１５、１６）で表示対象画像Ｄｄｉｓを表示し、また、同様に、梱包箱１３に対応する梱包箱１７で部分画像Ｄｐ１１を、梱包箱１４に対応する梱包箱１８で部分画像Ｄｐ１２を表示して２つの梱包箱（梱包箱１７、１８）で表示対象画像Ｄｄｉｓを表示している。つまり、２つの部分画像Ｄｐ（部分画像Ｄｐ１１および部分画像Ｄｐ１２）の組み合わせによって、垂直方向で例えば２つの表示対象画像Ｄｄｉｓを表示する状態としてある。縦横
【００７１】
上述したとおり、本実施の形態では、梱包箱を縦横８個並置して水平方向および垂直方向の両方向で表示対象画像Ｄｄｉｓをマトリックス状に表示し、合計で例えば４個の表示対象画像Ｄｄｉｓを表示する形態としてある。この構成により、さらに視覚効果を向上させ、展示的に利用する場合には宣伝効果を拡大することが可能となる。
【００７２】
＜実施の形態７＞
本実施の形態は、実施の形態１ないし実施の形態６で説明した梱包箱配置方法に適用できる梱包箱を形成する梱包箱形成方法に関する。
【００７３】
図７は、本発明の実施の形態７に係る梱包箱形成方法を説明する説明図であり、梱包箱を展開した４つの側面の内２面を用いて１つの表示対象画像を形成した状態を示す展開平面図である。
【００７４】
展開状態として示す梱包箱１１は、例えば側面として４表面（側面１１ａ、１１ｂ、１１ｃ、１１ｄ）を有する６面体で構成してある。なお、図では、底面、天面および梱包箱１１を組み立てるための連結代については図示を省略してある。なお、底面と天面は相対的なものであり、底面を天面として扱うことも可能である。
【００７５】
４表面の内の２表面に部分画像Ｄｐがそれぞれ形成してあり、側面１１ａに部分画像Ｄｐ１１、側面１１ｂに部分画像Ｄｐ１２がそれぞれ形成してある。つまり、２つの部分画像Ｄｐ（部分画像Ｄｐ１１および部分画像Ｄｐ１２）の組み合わせが１つの表示対象画像Ｄｄｉｓを表示するように部分画像Ｄｐが形成してある。
【００７６】
梱包箱１１を６面体で構成することにより、複数並置したとき並置密度を大きくでき、容易かつ簡明に表示対象画像Ｄｄｉｓを表示することができる梱包箱１１を容易に形成することが可能となる。また、部分画像Ｄｐを形成する方法としては、梱包箱１１の表面（側面および天面）への直接印刷、あるいはシール貼付など種々の方法が可能である。
【００７７】
図８は、本発明の実施の形態７に係る梱包箱形成方法を説明する説明図であり、梱包箱を展開した４つの側面の全４面を用いて２つの表示対象画像を形成した状態を示す展開平面図である。
【００７８】
図８で示す梱包箱形成方法は、図７で示した梱包箱形成方法の変形例であり、基本構成は、図７と同様であるので、主に図７と異なる点について説明する。
【００７９】
梱包箱１１は、例えば側面として４表面（側面１１ａ、１１ｂ、１１ｃ、１１ｄ）を有する６面体で構成してある。４表面の全てに部分画像Ｄｐがそれぞれ形成してあり、側面１１ａに部分画像Ｄｐ１１、側面１１ｂに部分画像Ｄｐ１２、側面１１ｃに部分画像Ｄｐ１１、側面１１ｄに部分画像Ｄｐ１２がそれぞれ形成してある。つまり、２つの部分画像Ｄｐ（部分画像Ｄｐ１１および部分画像Ｄｐ１２）の組み合わせにより２つの表示対象画像Ｄｄｉｓを表示するように部分画像Ｄｐが形成してある。
【００８０】
また、側面としての全４面に部分画像Ｄｐが形成してあることから、梱包箱１１を並置する際の配置作業の効率を向上させることが可能となる。外側に配置された側面１１ａと側面１１ｄを基準として部分画像Ｄｐを形成することができることから、部分画像Ｄｐを形成するときの位置合わせも容易になる。
【００８１】
図９は、本発明の実施の形態７に係る梱包箱形成方法を説明する説明図であり、梱包箱を展開した４つの側面の内２面を用いて１つの表示対象画像を形成した状態を示す平面図である。
【００８２】
図９で示す梱包箱形成方法は、図７で示した梱包箱形成方法の変形例であり、基本構成は、図７と同様であるので、主に図７と異なる点について説明する。
【００８３】
梱包箱１１は、例えば側面として４表面（側面１１ａ、１１ｂ、１１ｃ、１１ｄ）を有する６面体で構成してある。部分画像Ｄｐ１１および部分画像Ｄｐ１２の組み合わせが１つの表示対象画像Ｄｄｉｓを表示するように部分画像Ｄｐがそれぞれ形成してある。図では、表示対象画像Ｄｄｉｓに加えて、残りの面としての側面１１ｃにその他の表示事項Ｄｄａを形成してある。表示事項Ｄｄａの形成方法は、表示対象画像Ｄｄｉｓと同様でよく、表面を効果的に活用することが可能となる。
【００８４】
図１０は、本発明の実施の形態７に係る梱包箱形成方法を説明する説明図であり、梱包箱を展開した４つの側面の内２面を用いて１つの表示対象画像を形成した状態を示す平面図である。
【００８５】
図１０で示す梱包箱形成方法は、図７で示した梱包箱形成方法の変形例であり、基本構成は、図７と同様であるので、主に図７と異なる点について説明する。
【００８６】
梱包箱１１は、例えば側面として４表面（側面１１ａ、１１ｂ、１１ｃ、１１ｄ）を有する６面体で構成してある。４表面の内の２表面に部分画像Ｄｐがそれぞれ形成してあり、側面１１ａに部分画像Ｄｐ１１、側面１１ｃに部分画像Ｄｐ１２がそれぞれ形成してある。つまり、２つの部分画像Ｄｐ（部分画像Ｄｐ１１および部分画像Ｄｐ１２）の組み合わせが１つの表示対象画像Ｄｄｉｓを表示するように部分画像Ｄｐが形成してある。なお、図７の場合と異なり、側面１１ｂを飛ばして部分画像Ｄｐを形成してある。
【００８７】
図１１は、本発明の実施の形態７に係る梱包箱形成方法を説明する説明図であり、梱包箱を展開した４つの側面の内３面を用いて１つの表示対象画像を形成した状態を示す展開平面図である。
【００８８】
図１１で示す梱包箱形成方法は、図７で示した梱包箱形成方法の変形例であり、基本構成は、図７と同様であるので、主に図７と異なる点について説明する。
【００８９】
梱包箱１１は、例えば側面として４表面（側面１１ａ、１１ｂ、１１ｃ、１１ｄ）を有する６面体で構成してある。４表面の内の３表面に部分画像Ｄｐがそれぞれ形成してあり、側面１１ａに部分画像Ｄｐ１３、側面１１ｂに部分画像Ｄｐ１４、側面１１ｃに部分画像Ｄｐ１５がそれぞれ形成してある。つまり、３表面にそれぞれ形成した３つの部分画像Ｄｐ（部分画像Ｄｐ１３ないし部分画像Ｄｐ１５）の組み合わせが表示対象画像Ｄｄｉｓを表示するように部分画像Ｄｐが形成してある。
【００９０】
本変形例によれば、６面体の少なくとも３面にわたって表示対象画像Ｄｄｉｓを形成することから、梱包箱１１を少なくとも３個並置することで大きい表示対象画像Ｄｄｉｓを容易に表示可能な梱包箱１１を容易に形成することができる。
【００９１】
図１２は、本発明の実施の形態７に係る梱包箱形成方法を説明する説明図であり、梱包箱を展開した４つの側面の全４面を用いて１つの表示対象画像を形成した状態を示す展開平面図である。
【００９２】
図１２で示す梱包箱形成方法は、図７で示した梱包箱形成方法の変形例であり、基本構成は図７と同様であるので、主に図７と異なる点について説明する。
【００９３】
梱包箱１１は、例えば側面として４表面（側面１１ａ、１１ｂ、１１ｃ、１１ｄ）を有する６面体で構成してある。４表面の全面に部分画像Ｄｐがそれぞれ形成してあり、側面１１ａに部分画像Ｄｐ１、側面１１ｂに部分画像Ｄｐ２、側面１１ｃに部分画像Ｄｐ３、側面１１ｄに部分画像Ｄｐ４がそれぞれ形成してある。つまり、４表面にそれぞれ形成した４つの部分画像Ｄｐ（部分画像Ｄｐ１ないし部分画像Ｄｐ４）の組み合わせが１つの表示対象画像Ｄｄｉｓを表示するように部分画像Ｄｐが形成してある。
【００９４】
図７ないし図１２で示したとおり、本実施の形態は、梱包箱１１が有する複数表面の少なくとも２面のそれぞれに部分画像Ｄｐを形成する梱包箱形成方法であって、部分画像Ｄｐの組み合わせが表示対象画像Ｄｄｉｓを表示するように部分画像Ｄｐを形成する形態としてある。この構成により、例えば実施の形態３に従って梱包箱１１を２個配置することにより、表示対象画像Ｄｄｉｓを表示することが可能となる。
【００９５】
展開した梱包箱１１の複数の面（少なくとも２面）それぞれに部分画像Ｄｐを形成し、複数の面（少なくとも２面）にわたって形成された部分画像Ｄｐの組み合わせで表示対象画像Ｄｄｉｓを表示する構成としてあることから、複数の梱包箱１１を並置して表示対象画像Ｄｄｉｓを表示することが可能となる。また、並置して表示対象画像Ｄｄｉｓを表示することが可能となる梱包箱１１を単一の簡単な図版を適用して容易に形成することが可能となる。
【００９６】
なお、側面に部分画像Ｄｐを形成する場合を示したが、天面、底面を利用することも可能である。つまり、６面体の梱包箱１１の場合に、５面、６面を用いて表示対象画像Ｄｄｉｓを表示する構成とすることができる。この場合は、梱包箱１１は、立方体であることが好ましい。また、５面で１つの表示対象画像Ｄｄｉｓを表示する形態とした場合は、少なくとも梱包箱１１を５個並置することとなり、６面で１つの表示対象画像Ｄｄｉｓを表示する形態とした場合は、少なくとも梱包箱１１を６個並置することとなる。
【００９７】
また、梱包箱１１として水平方向に配置する場合を例示したが、垂直方向に配置して部分画像Ｄｐを組み合わせて表示対象画像Ｄｄｉｓを表示する形態とすることも可能である。
【００９８】
＜実施の形態８＞
本実施の形態は、実施の形態１ないし実施の形態６で説明した梱包箱配置方法に適用できる梱包箱を形成する梱包箱形成方法に関する。
【００９９】
図１３は、本発明の実施の形態８に係る梱包箱形成方法を説明する説明図であり、梱包箱を展開した４つの側面および天面を用いて１つの表示対象画像を形成した状態を示す展開平面図である。
【０１００】
図１３で示す梱包箱形成方法の基本構成は、実施の形態７と同様であり、主に実施の形態７と異なる構成について説明する。
【０１０１】
展開状態として示す梱包箱１１は、例えば側面としての４表面（側面１１ａ、１１ｂ、１１ｃ、１１ｄ）と、側面以外の面としての天面１１ｅ、底面１１ｆとを有する６面体で構成してある。６つの表面の内で５表面（４つの側面１１ａ、１１ｂ、１１ｃ、１１ｄおよび１つの天面１１ｅ）に部分画像Ｄｐがそれぞれ形成してある。つまり、側面１１ａに部分画像Ｄｐ１６、側面１１ｂに部分画像Ｄｐ１７、側面１１ｃに部分画像Ｄｐ１８、側面１１ｄに部分画像Ｄｐ１９、天面１１ｅに部分画像Ｄｐ２０がそれぞれ形成してある。部分画像Ｄｐ２０が部分画像Ｄｐ１９に続く構成としてある。底面１１ｆは無地としてある。
【０１０２】
本実施の形態では、５表面にそれぞれ形成した５つの部分画像Ｄｐ（部分画像Ｄｐ１６ないし部分画像Ｄｐ２０）の組み合わせが１つの表示対象画像Ｄｄｉｓを表示するように部分画像Ｄｐを形成する。
【０１０３】
本実施の形態によれば、６面体（立方体）の少なくとも５面にわたって表示対象画像Ｄｄｉｓを形成することから、梱包箱１１を少なくとも５個並置することで大きい表示対象画像Ｄｄｉｓを容易に表示可能な梱包箱１１を容易に形成することができる。
【０１０４】
なお、側面以外の天面を用いることから、梱包箱１１を配置するときの整合性を考慮して、梱包箱１１は立方体とすることが好ましい。
【０１０５】
図１４は、本発明の実施の形態８に係る梱包箱形成方法を説明する説明図であり、梱包箱を展開した４つの側面と、天面および底面を用いて１つの表示対象画像を形成した状態を示す展開平面図である。
【０１０６】
図１４で示す梱包箱形成方法は、図１３で示した梱包箱形成方法の変形例であり、基本構成は図１３と同様であるので、主に図１３と異なる点について説明する。
【０１０７】
展開状態として示す梱包箱１１は、例えば側面としての４表面（側面１１ａ、１１ｂ、１１ｃ、１１ｄ）と、側面以外の面としての天面１１ｅ、底面１１ｆとを有する６面体で構成してある。６つの表面の全表面（４つの側面１１ａ、１１ｂ、１１ｃ、１１ｄおよび１つの天面１１ｅ、１つの底面１１ｆ）に部分画像Ｄｐがそれぞれ形成してある。つまり、側面１１ａに部分画像Ｄｐ２１、側面１１ｂに部分画像Ｄｐ２２、側面１１ｃに部分画像Ｄｐ２３、側面１１ｄに部分画像Ｄｐ２４、天面１１ｅに部分画像Ｄｐ２５、底面１１ｆに部分画像Ｄｐ２６がそれぞれ形成してある。部分画像Ｄｐ２５が部分画像Ｄｐ２４に続き、部分画像Ｄｐ２６が部分画像Ｄｐ２１に続く構成としてある。
【０１０８】
つまり、本実施の形態では、６表面（６面体の全表面）にそれぞれ形成した６つの部分画像Ｄｐ（部分画像Ｄｐ２１ないし部分画像Ｄｐ２６）の組み合わせが１つの表示対象画像Ｄｄｉｓを表示するように部分画像Ｄｐを形成する。
【０１０９】
＜実施の形態９＞
本実施の形態は、実施の形態１ないし実施の形態６で説明した梱包箱配置方法に適用できる梱包箱を形成する梱包箱形成方法に関する。
【０１１０】
図１５および図１６は、本発明の実施の形態９に係る梱包箱形成方法を説明する説明図であり、梱包箱を展開した４つの側面を２種用いて１つの表示対象画像を形成した状態を示す展開平面図である。
【０１１１】
図１５および図１６で示す梱包箱形成方法の基本構成は、実施の形態８と同様であり、主に実施の形態８と異なる構成について説明する。
【０１１２】
展開状態として示す梱包箱１１（１１ＤＡ、１１ＤＢの２種。梱包箱１１ＤＡ、１１ＤＢを区別する必要がない場合は、梱包箱１１とする場合がある。）は、例えば側面としての４表面（側面１１ａ、１１ｂ、１１ｃ、１１ｄ）と、側面以外の面としての天面１１ｅ、底面１１ｆとを有する６面体で構成してある。本実施の形態で形成される梱包箱１１は、梱包箱１１が有する複数表面（例えば６面体としての６つの表面）の数より多い数の部分画像Ｄｐ（梱包箱１１）を並置して表示対象画像Ｄｄｉｓを表示する形態としてある。
【０１１３】
例えば図１５で示す梱包箱１１ＤＡでは、側面１１ａに部分画像Ｄｐ２７、側面１１ｂに部分画像Ｄｐ２８、側面１１ｃに部分画像Ｄｐ２９、側面１１ｄに部分画像Ｄｐ３０がそれぞれ形成してある。また、天面１１ｅ、底面１１ｆは無地としてある。つまり、部分画像Ｄｐ２７ないし部分画像Ｄｐ３０の組み合わせは、表示対象画像Ｄｄｉｓの一部としての表示対象画像ＤｄｉｓＡを表示する形態としてある。
【０１１４】
また、図１６で示す梱包箱１１（１１ＤＢ）では、側面１１ａに梱包箱１１ＤＡと共通する部分画像Ｄｐ３０、側面１１ｂに部分画像Ｄｐ３１、側面１１ｃに部分画像Ｄｐ３２、側面１１ｄに部分画像Ｄｐ３３がそれぞれ形成してある。また、天面１１ｅ、底面１１ｆは無地としてある。つまり、部分画像Ｄｐ３０ないし部分画像Ｄｐ３３の組み合わせは、表示対象画像Ｄｄｉｓの一部としての表示対象画像ＤｄｉｓＢを表示する形態としてある。
【０１１５】
上述したとおり、表示対象画像Ｄｄｉｓは、梱包箱１１が有する複数表面の数（６面体の６表面）より多い数の部分画像Ｄｐとしての７つの部分画像Ｄｐ（部分画像Ｄｐ２７ないし部分画像Ｄｐ３３）で構成してある。
【０１１６】
つまり、部分画像Ｄｐ３０を共通にして、それぞれ４つの部分画像Ｄｐを有する２種の梱包箱１１（梱包箱１１ＤＡおよび梱包箱１１ＤＢ）を形成することにより、例えば７つの部分画像Ｄｐ（４つの側面を２種用いて構成される部分画像Ｄｐ２７ないし部分画像Ｄｐ３３）の組み合わせで１つの表示対象画像Ｄｄｉｓを表示することが可能となる。
【０１１７】
したがって、本実施の形態に係る梱包箱形成方法によって梱包箱１１を形成することにより、７個の梱包箱１１を並置して表示対象画像Ｄｄｉｓを表示することが可能となる。本実施の形態では、梱包箱１１を７個並置する場合を例示したがさらに多数の梱包箱１１を並置して表示対象画像Ｄｄｉｓを表示する形態とすることが可能である。
【０１１８】
上述したとおり、本実施の形態に係る梱包箱形成方法では、梱包箱が有する複数表面の数より多い数の部分画像Ｄｐで表示対象画像Ｄｄｉｓを表示するように部分画像Ｄｐを梱包箱１１の表面に形成する。この構成により、梱包箱１１が有する表面の数より多い数の梱包箱１１を用いて表示対象画像Ｄｄｉｓを表示することが可能な梱包箱１１を容易に形成することができる。
【０１１９】
なお、側面のみを適用した場合を例示したが、天面に部分画像Ｄｐを形成して適用することも可能である。
【図面の簡単な説明】
【０１２０】
【図１】本発明の実施の形態１に係る梱包箱配置方法を説明する説明図であり、梱包箱を４個並置して１つの表示対象画像を表示する状態を示す側面図である。
【図２】本発明の実施の形態２に係る梱包箱配置方法を説明する説明図であり、集合梱包箱に梱包箱を６個並置して１つの表示対象画像を表示する状態を示す平面図である。
【図３】本発明の実施の形態３に係る梱包箱配置方法を説明する説明図であり、梱包箱を２個並置して水平方向で１つの表示対象画像を表示する状態を示す側面図である。
【図４】本発明の実施の形態４に係る梱包箱配置方法を説明する説明図であり、梱包箱を４個並置して水平方向で２つの表示対象画像を表示する状態を示す側面図である。
【図５】本発明の実施の形態５に係る梱包箱配置方法を説明する説明図であり、梱包箱を縦横４個並置して垂直方向で２つの表示対象画像を表示する状態を示す側面図である。
【図６】本発明の実施の形態６に係る梱包箱配置方法を説明する説明図であり、梱包箱を縦横８個並置して水平方向で２つの表示対象画像を表示し、垂直方向で２つの表示対象画像を表示する状態を示す側面図である。
【図７】本発明の実施の形態７に係る梱包箱形成方法を説明する説明図であり、梱包箱を展開した４つの側面の内２面を用いて１つの表示対象画像を形成した状態を示す展開平面図である。
【図８】本発明の実施の形態７に係る梱包箱形成方法を説明する説明図であり、梱包箱を展開した４つの側面の全４面を用いて２つの表示対象画像を形成した状態を示す展開平面図である。
【図９】本発明の実施の形態７に係る梱包箱形成方法を説明する説明図であり、梱包箱を展開した４つの側面の内２面を用いて１つの表示対象画像を形成した状態を示す平面図である。
【図１０】本発明の実施の形態７に係る梱包箱形成方法を説明する説明図であり、梱包箱を展開した４つの側面の内２面を用いて１つの表示対象画像を形成した状態を示す平面図である。
【図１１】本発明の実施の形態７に係る梱包箱形成方法を説明する説明図であり、梱包箱を展開した４つの側面の内３面を用いて１つの表示対象画像を形成した状態を示す展開平面図である。
【図１２】本発明の実施の形態７に係る梱包箱形成方法を説明する説明図であり、梱包箱を展開した４つの側面の全４面を用いて１つの表示対象画像を形成した状態を示す展開平面図である。
【図１３】本発明の実施の形態８に係る梱包箱形成方法を説明する説明図であり、梱包箱を展開した４つの側面および天面を用いて１つの表示対象画像を形成した状態を示す展開平面図である。
【図１４】本発明の実施の形態８に係る梱包箱形成方法を説明する説明図であり、梱包箱を展開した４つの側面と、天面および底面を用いて１つの表示対象画像を形成した状態を示す展開平面図である。
【図１５】本発明の実施の形態９に係る梱包箱形成方法を説明する説明図であり、梱包箱を展開した４つの側面を２種用いて１つの表示対象画像を形成した状態を示す展開平面図である。
【図１６】本発明の実施の形態９に係る梱包箱形成方法を説明する説明図であり、梱包箱を展開した４つの側面を２種用いて１つの表示対象画像を形成した状態を示す展開平面図である。
【符号の説明】
【０１２１】
１１、１１ＤＡ、１１ＤＢ、１２〜１８  梱包箱
１１ａ〜１１ｄ  側面
１１ｅ  天面
１１ｆ  底面
２０  集合梱包箱
３０  輸送用パレット
Ｄｄｉｓ、ＤｄｉｓＡ、ＤｄｉｓＢ  表示対象画像
Ｄｐ、Ｄｐ１〜Ｄｐ３３  部分画像
【図１】
2008087842.tif 000003
【図２】
2008087842.tif 000004
【図３】
2008087842.tif 000005
【図４】
2008087842.tif 000006
【図５】
2008087842.tif 000007
【図６】
2008087842.tif 000008
【図７】
2008087842.tif 000009
【図８】
2008087842.tif 000010
【図９】
2008087842.tif 000011
【図１０】
2008087842.tif 000012
【図１１】
2008087842.tif 000013
【図１２】
2008087842.tif 000014
【図１３】
2008087842.tif 000015
【図１４】
2008087842.tif 000016
【図１５】
2008087842.tif 000017
【図１６】
2008087842.tif 000018